(57)【特許請求の範囲】
【請求項１】
設置面に固定される設置枠及び前記設置枠に配置される横枠を備える枠ユニットであって、
前記設置枠は、
前記設置面に固定される設置枠本体部と、
前記設置枠本体部の屋外側の上部に配置され、凸状又は凹状に形成される設置枠嵌合部と、
前記設置枠本体部の屋内側の上部に配置される設置枠側締結部と、
を有し、
前記横枠は、
前記設置枠の上面に載置される横枠本体部と、
前記横枠本体部の屋外側の下部に配置され、前記設置枠嵌合部に嵌合する凹状又は凸状の横枠嵌合部と、
前記横枠本体部の屋内側の下部に配置され、前記設置枠側締結部とともに締結部材によって締結される横枠側締結部と、
を有し、
前記設置枠と前記横枠の間の隙間であって前記設置枠嵌合部と前記横枠嵌合部の嵌合部分に屋内側で連通する位置に固定され、該隙間の中で見付方向に沿って延びる防水部材を更に備え、
前記設置枠は、見付方向で隙間をあけて複数並列配置されており、
隣接する一側の前記設置枠に固定される一方の前記防水部材の先端部が、他側の前記設置枠に固定される他方の前記防水部材の先端部に接触するように、少なくとも一方の前記防水部材が前記設置枠の見付方向の端部から突出する長さに形成される枠ユニット。
【発明の詳細な説明】
【技術分野】
【０００１】
本発明は、設置枠を介して設置面に固定される枠ユニットに関する。
【背景技術】
【０００２】
従来から、サッシ等の枠ユニットにおいて、設置面に固定される設置枠に巾木部等の横枠を固定して建築物の開口部に枠ユニットを取り付ける技術が知られている。この種の技術を開示するものとして例えば特許文献１がある。特許文献１には、開口部の下縁部に設置枠としての取付用横材を取付け、その取付用横材に下横枠材が固定される構造が開示されている。この構造では、下横枠材は本体枠材に押縁を取付けて内向きのガラス取付用溝を有しており、本体枠材が取付用横材にビス等の固着部材で連結されている。
【先行技術文献】
【特許文献】
【０００３】
【特許文献１】特開平９−１２５８２７号公報
【発明の概要】
【発明が解決しようとする課題】
【０００４】
ところで、設置枠にいったん固定した横枠を設置枠から取り外して別の場所で使用する枠ユニットのリユースを行うことがある。設置枠と横枠の連結を解除するためには、見込方向の両側（例えば、屋外側や屋内側）でビス等の締結部材や設置枠に横枠を固定するための連結部材を取り外す作業を行う必要があり、手間のかかる作業となっていた。この点、特許文献１に開示される技術においても、図２に示されるように下横枠材の内側で設置面に締結されるビスを取り外す作業を行うとともに、取付用横材を下横枠材に固定するビスを取り外す作業を行う必要があり、リユース時の作業性の観点から改善の余地があった。
【０００５】
本発明は、設置枠を介して横枠が設置面に固定される枠ユニットにおいて、リユース時に設置枠から横枠を取り外すための作業を容易に行うことができるリユース性の高い構造を提供することを目的とする。
【課題を解決するための手段】
【０００６】
本発明は、設置面に固定される設置枠（例えば、後述の補助枠２５）及び前記設置枠に配置される横枠（例えば、後述の巾木部２２）を備える枠ユニット（例えば、後述のサッシユニット１）であって、前記設置枠は、前記設置面に固定される設置枠本体部（例えば、後述の補助枠本体部２５１）と、前記設置枠本体部の屋外側の上部に配置され、見込方向の屋外側を向く凸状又は凹状に形成される設置枠嵌合部（例えば、後述の差込部２５１ｃ）と、前記設置枠本体部の屋内側の上部に配置される設置枠側締結部（例えば、後述の立ち上がり部２５１ｆ）と、を有し、前記横枠は、前記設置枠の上面に載置される横枠本体部（例えば、後述の巾木本体部２２１）と、前記横枠本体部の屋外側の下部に配置され、前記設置枠嵌合部に嵌合する凹状又は凸状の横枠嵌合部（例えば、後述の嵌合部２２１ｃ）と、前記横枠本体部の屋内側の下部に配置され、前記設置枠側締結部とともに締結部材（例えば、後述のビス２５３）によって締結される横枠側締結部（例えば、後述のビス取付部２２１ｂ）と、を有する枠ユニットに関する。
【０００７】
前記枠ユニットは、前記設置枠と前記横枠の間の隙間（例えば、後述の隙間２５１ｄ）であって前記設置枠嵌合部と前記横枠嵌合部の嵌合部分に屋内側で連通する位置に固定され、該隙間の中で見付方向に沿って延びる防水部材（例えば、後述のパッキン部材２５２）を更に備えることが好ましい。
【０００８】
前記設置枠は、見付方向で隙間（例えば、後述の隙間ｄ）をあけて複数並列配置されており、隣接する一側の前記設置枠に固定される一方の前記防水部材の先端部が、他側の前記設置枠に固定される他方の前記防水部材の先端部に接触するように、少なくとも一方の前記防水部材が前記設置枠の見付方向の端部から突出する長さに形成されることが好ましい。
【発明の効果】
【０００９】
本発明の枠ユニットの構造によれば、設置枠を介して横枠が設置面に固定される枠ユニットにおいて、リユース時に設置枠から横枠を取り外すための作業を容易に行うことができる。
【図面の簡単な説明】
【００１０】
【図１】本発明の一実施形態に係るサッシユニットを屋内側から見た姿図である。
【図２】本実施形態のサッシユニットの縦断面図である。
【図３】本実施形態のサッシユニットの方立の拡大横断面図である。
【図４】本実施形態のサッシユニットの巾木部が補助枠を介して設置面に固定されている様子を示す縦断面図である。
【図５】巾木部と補助枠の嵌合部分及びパッキン部材近傍を拡大した拡大縦断面図である。
【図６】見付方向に隣接する補助枠の間におけるパッキン部材の様子を模式的に示した横断面図である。
【発明を実施するための形態】
【００１１】
以下、本発明の一実施形態について、図面を参照しながら説明する。なお、本明細書において、「見付方向」とは、建物に形成された開口部に納められたサッシユニット（枠ユニット）の横枠（上枠、無目、巾木部等）の長手方向（即ち、ガラスや障子の面内方向）を意味し、「見込方向」とは、屋内外方向（即ち、奥行き方向）を意味する。
【００１２】
図１は、本実施形態に係るサッシユニット１を屋内側から見た姿図である。図１に示すように、サッシユニット１は、店舗等の建築物に用いられるものであり、建築物に形成された開口に取り付けられる枠体２を備える枠ユニットである。
【００１３】
枠体２は、上枠２１と、下枠としての巾木部２２と、左右両側の縦枠（図示省略）と、方立２３と、無目２４と、を備える。枠体２は、全体としては矩形に枠組みされている。枠体２の内側の空間は、方立２３によって見付方向に複数の開口部に区画されるとともに、無目２４によって複数の開口部のそれぞれが上下方向に区画される。
【００１４】
サッシユニット１の屋内側から見て左側には、無目２４を境にして上段に排煙窓５１が納められ、排煙窓５１の下側にあたる下段にはＦＩＸ窓５２が納められる排煙窓ユニット５が３ユニット連続して配設される。なお、排煙窓ユニット５は、複数連続で設ける構成や単体で設ける構成等、事情に応じて適宜変更できる。
【００１５】
排煙窓５１は、縦方向にスライド自在である。見付方向に並んだ３つの排煙窓５１は、見付方向に延びるワイヤ７により重みが支えられている。ワイヤ７は、左側の縦枠に設けられるオペレータ（図示省略）に接続されている。３つの排煙窓５１は連動しており、オペレータによって一括して開放・閉鎖を行うことが可能である。
【００１６】
サッシユニット１の屋内側から見て右側には、無目２４を境にして上段にＦＩＸ窓６１が納められ、下段にはＦＩＸ窓６２が納められるＦＩＸ窓ユニット６が配設される。
【００１７】
図２は、排煙窓ユニット５の縦断面図であって、図１のＡ−Ａ線断面図である。なお、図２において、紙面左側が屋外側であり、右側が屋内側である。図３は、本実施形態のサッシユニット１が備える方立２３の拡大横断面図であり、図２のＢ−Ｂ線断面図である。図３において、紙面上側が屋外側であり、下側が屋内側である。
【００１８】
図２に示すように、上枠２１は、屋内側に配置される上方に開放された断面略Ｕ字状である上枠本体部２１１と、上枠本体部２１１の屋外側に配置される上枠中間部２１５と、上枠中間部２１５から更に屋外側に延設される上枠延設部２１６と、を備える。
【００１９】
上枠本体部２１１は、内側に形成されかつ上枠２１の長手方向に延びる溝部２１１ａ，２１１ｂを備える。溝部２１１ａ，２１１ｂは、上枠本体部２１１の内側の下部に配置される。溝部２１１ａ，２１１ｂは、いずれも見付方向の方立２３側から方立２３を連結するためのビス８３が差し込まれるネジ受けとなる。
【００２０】
上枠中間部２１５は、中空部を備えるホロー構造である。上枠中間部２１５は、その下面が上枠本体部２１１の下面と略面一になっている。
【００２１】
上枠延設部２１６は、内側に下方に開放された溝２１６ａが形成されており、この溝２１６ａに閉鎖位置にあるときの排煙窓５１の上部が収容される。
【００２２】
上枠本体部２１１の下面には、係止機構５３が固定される。係止機構５３は排煙窓５１を閉鎖位置で固定するためのものである。図１に示すように、係止機構５３は、上枠２１の見付方向に所定の間隔をあけて複数配置されている。本実施形態では、１つの排煙窓ユニット５に対して２つの係止機構５３が設けられている。
【００２３】
排煙窓５１は、排煙ガラス５１ａの上端を保持する排煙上枠５１０と、排煙ガラス５１ａの下端を保持する排煙下枠５２０と、排煙ガラス５１ａの左右の端部を保持する排煙縦框（図示省略）と、係止機構５３に係止される係止部５３０と、を備える。
【００２４】
排煙上枠５１０は、中空部を備えるホロー構造である排煙上枠本体部５１１と、排煙上枠本体部５１１から上側に延設される上側延設部５１２と、排煙上枠本体部５１１の屋内側の下端から下側に延設される排煙ガラス保持部５１３と、排煙上枠本体部５１１の屋外側の下端に係止されるガラス保持部材５１４と、を備える。排煙窓５１が閉鎖位置にあるときは、上側延設部５１２が上述の上枠延設部２１６の溝２１６ａに収容される状態となる。また、排煙ガラス保持部５１３及びガラス保持部材５１４によって、排煙ガラス５１ａの上端部を保持する溝５１４ａが形成される。
【００２５】
排煙下枠５２０は、中空部を備えるホロー構造である排煙下枠本体部５２１と、排煙下枠本体部５２１の下部から延設される下側延設部５２２と、排煙下枠本体部５２１の屋内側の上端から上側に延設される排煙ガラス保持部５２３と、排煙下枠本体部５２１の屋外側の上端に係止されるガラス保持部材５２４と、を備える。排煙窓５１が閉鎖位置にあるときは、排煙下枠本体部５２１及び下側延設部５２２の屋内側の面が無目２４の屋外側の面に対面する状態となる。また、排煙ガラス保持部５２３及びガラス保持部材５２４によって、排煙ガラス５１ａの下端部を保持する溝５２４ａが形成される。
【００２６】
排煙ガラス５１ａの保持について説明する。排煙ガラス５１ａは、溝５２４ａの内部に配置される支持部材５１ｂによって下から支持される。排煙ガラス５１ａの下端部は、溝５２４ａ内において、屋外側に配置されるバックアップ材５１ｃと屋内側に配置されるバックアップ材５１ｄによって挟まれる。本実施形態では、バックアップ材５１ｄの方が、バックアップ材５１ｃよりも上下方向のサイズが長くなっている。更にバックアップ材５１ｃの上方には、シール材５１ｅが塗工される。排煙ガラス５１ａの上端部は、溝５１４ａ内において、屋外側に配置されるバックアップ材５１ｆと屋内側に配置されるバックアップ材５１ｇによって挟まれる。本実施形態では、バックアップ材５１ｇの方が、バックアップ材５１ｆよりも上下方向のサイズが長くなっている。更にバックアップ材５１ｆの下方には、シール材５１ｈが塗工される。なお、バックアップ材５１ｄ及びバックアップ材５１ｇにもシール材を塗工してもよい。例えば、バックアップ材５１ｄの上方やバックアップ材５１ｇの下方にシール材を塗工する構成とすることもできる。
【００２７】
左右の排煙縦框（図示省略）は、排煙ガラス５１ａを保持した状態で方立２３の屋外側の面に形成される後述の排煙ガイド５００によって見付方向の両側で挟み込まれる。
【００２８】
係止部５３０は、排煙上枠５１０の屋内側の面に固定され、上枠２１に固定される係止機構５３に係止される。係止部５３０を係止機構５３に係止するための機構としては例えばラッチ機構を用いることができる。
【００２９】
本実施形態の係止部５３０は、排煙上枠本体部５１１と排煙ガラス保持部５１３に跨って連結されている。図１に示すように、係止部５３０は係止機構５３の数に応じて配置される。排煙窓５１は、係止部５３０を介してワイヤ７に支持されており、係止部５３０が係止機構５３に係止されることにより排煙窓５１が閉鎖位置で固定される。排煙窓５１を閉鎖位置から下側に移動させるときは、上述のオペレータ（図示省略）によって排煙窓５１をいったん上に動かして係止部５３０と係止機構５３の係止を解除する。
【００３０】
無目２４は、屋内側に配置されかつ中空部を備えるホロー構造である無目本体部２４１と、無目本体部２４１の屋外側に形成される無目ガラス保持部２４２と、を備える。
【００３１】
無目本体部２４１は、内側に形成されかつ無目２４の長手方向に延びる溝部２４１ａ，２４１ｂ，２４１ｃを備える。溝部２４１ａは、無目本体部２４１の内側の上部に配置され、溝部２４１ｂは内側の下部に配置される。溝部２４１ｃは、内側上部の屋内側の角に配置される。溝部２４１ａ，２４１ｂ，２４１ｃは、いずれも見付方向の方立２３側から方立２３を連結するためのビス８３が差し込まれるネジ受けとなる。
【００３２】
無目ガラス保持部２４２は、無目本体部２４１の屋外側の下端から下側に延設する。この無目ガラス保持部２４２と無目本体部２４１によってＦＩＸ窓５２を構成するガラス５２ａの上端部を保持する溝２４２ａが形成される。
【００３３】
巾木部２２は、中空部を備えるホロー構造である巾木本体部２２１と、巾木本体部２２１に係止されるガラス保持部材２２２と、を備える。
【００３４】
巾木本体部２２１の屋内側には、上から下に進むにつれて屋内側に近づくように傾斜する傾斜部２２１ａと、傾斜部２２１ａの下端から直下方向に延びるビス取付部２２１ｂと、が形成される。
【００３５】
巾木本体部２２１の屋外側の下端には、後述する補助枠２５に嵌合する嵌合部２２１ｃが形成される。巾木本体部２２１の屋外側の上端には、ガラス保持部材２２２を嵌合する嵌合部２２１ｄが形成される。
【００３６】
巾木本体部２２１の内側には、巾木部２２の長手方向に延びる溝部２２１ｅ，２２１ｆ，２２１ｇが形成される。溝部２２１ｅは、内側であって屋内側の上端に配置され、溝部２２１ｆは、内側であって屋内側の溝部２２１ｅとビス取付部２２１ｂの間に配置される。溝部２２１ｇは、内側の下部に配置される。溝部２２１ｅ，２２１ｆ，２２１ｇは、いずれも見付方向の方立２３側から方立２３を連結するためのビス８３が差し込まれるネジ受けとなる。
【００３７】
ガラス保持部材２２２は、嵌合部２２１ｄに嵌合される。巾木本体部２２１及びガラス保持部材２２２によって、ガラス５２ａの下端部を保持する溝２２２ａが形成される。
【００３８】
ガラス５２ａは単板ガラスであり、無目２４と巾木部２２の間で保持される。ガラス５２ａの保持について説明する。ガラス５２ａは、溝２２２ａの内部に配置される支持部材６２ｆによって下から支持される。ガラス５２ａの下端部は、溝２２２ａ内において、バックアップ材６２ｇ，６２ｇによって挟まれる。更にバックアップ材６２ｇ，６２ｇの上方には、シール材６２ｈ，６２ｈが塗工される。ガラス５２ａの上端部は、溝２４２ａ内において、バックアップ材６２ｊ，６２ｊによって挟まれる。更にバックアップ材６２ｊ，６２ｊの下方には、シール材６２ｉ，６２ｉが塗工される。
【００３９】
以上説明した上枠２１、無目２４及び巾木部２２は、例えば、アルミニウムを押し出し成型することによって形成することができる。
【００４０】
次に、方立２３について説明する。図３に示すように、方立２３は、屋内側から見て、右側に配置される第１方立部材２３１と、左側に配置される第２方立部材２３２と、を備える。
【００４１】
第１方立部材２３１は、第１方立本体部３１１と、第１方立本体部３１１の屋外側に設けられかつガラス５２ａの屋内側から見て左側の側端部が挿入されて保持される溝３１２ｄが形成される第１保持部３１２と、排煙ガイド５００と、を備える。
【００４２】
第１保持部３１２は、第１方立本体部３１１から見込方向（屋外側）に延出される第１方立見込部３１２ａと、第１方立見込部３１２ａの先端から見付方向（屋内側から見て右側）に延設される第１方立見付部３１２ｂと、第１方立見込部３１２ａの先端から第１方立見付部３１２ｂの延びる方向とは反対側（屋内側から見て左側）に突出する突出部３１２ｃと、を備える。
【００４３】
第１方立見込部３１２ａは、後述するビス８２の螺合される孔の周囲において第２方立部材２３２側に突出して形成される凸部３１２ｅを備える。
【００４４】
排煙ガイド５００は、方立２３の屋外側から突出する。本実施形態では、第１保持部３１２の突出部３１２ｃの先端の近傍から屋外側に延出している。排煙ガイド５００は、断面形状が略Ｔ字状に形成されており、見付方向の両側（左右両側）に溝５００ａが形成される。
【００４５】
図２に示すように、排煙ガイド５００は、方立２３の長手方向に沿って該方立２３の上端から下端までの略全域に形成されている。排煙ガイド５００は、排煙窓５１の見付方向の両側の方立２３にそれぞれ形成されており、左右の排煙縦框（図示省略）の見付方向の端部が溝５００ａに収容されることにより、上下方向でスライド自在となっている。なお、図３では、排煙窓５１は図示されていない。
【００４６】
第２方立部材２３２は、第２方立本体部３２１と、第２方立本体部３２１の屋外側に設けられかつガラス５２ａの屋内側から見て右側の側端部が挿入されて保持される溝３２２ｃが形成される第２保持部３２２と、を備える。
【００４７】
第２保持部３２２は、第２方立本体部３２１から見込方向（屋外側）に延出される第２方立見込部３２２ａと、第２方立見込部３２２ａの先端から見付方向（屋内側から見て左側）に延設される第２方立見付部３２２ｂと、を備える。
【００４８】
第２方立見込部３２２ａは、第１方立部材２３１側に形成される凹部３２２ｄと、後述するビス８２の螺合される孔の周囲において第１方立部材２３１側に突出して形成される凸部３２２ｅと、を備える。凹部３２２ｄには、気密材３１５が収容される。凸部３２２ｅは、凸部３１２ｅに対向する位置関係にある。
【００４９】
隣り合う一対のガラス５２ａ，５２ａは、それぞれ溝３１２ｄ，３２２ｃに対向する側端部が挿入されて保持される。溝３１２ｄと溝３２２ｃとでは、溝３２２ｃの方が深い溝に形成される。
【００５０】
ガラス５２ａの屋内側から見て左側の端部は、溝３１２ｄ内において、バックアップ材５２ｂ，５２ｂによって挟まれる。更にバックアップ材５２ｂ，５２ｂの右側には、コーキング材５２ｃ，５２ｃが塗工される。ガラス５２ａの屋内側から見て右側の端部は、溝３２２ｃ内において、バックアップ材５２ｄ，５２ｄによって挟まれる。更にバックアップ材５２ｄ，５２ｄの左にもコーキング材５２ｃ，５２ｃが塗工される。
【００５１】
締結部材としてのビス８２によって第１方立見込部３１２ａと第２方立見込部３２２ａが連結されている。本実施形態では、ビス８２は、方立２３の長手方向に所定の間隔をあけて複数締結されている。本実施形態の第１方立本体部３１１及び第２方立本体部３２１は、組み合わされた状態で断面略長方形の筒状に形成される。
【００５２】
以上のように構成される方立２３に横枠としての上枠２１、巾木部２２及び無目２４がビス８３によってそれぞれ連結される。
【００５３】
次に、巾木部２２が固定される補助枠２５について説明する。図４は、本実施形態のサッシユニット１の巾木部２２が補助枠２５を介して設置面に固定されている様子を示す縦断面図である。図４では、屋外側の設置面であるフロアラインを示す設置ラインＬ１及び屋内側の設置面であるフロアラインを示す設置ラインＬ２が、それぞれ鎖線で示されている。図５は、巾木部２２と補助枠２５の嵌合部分及びパッキン部材２５２近傍を拡大した拡大縦断面図であり、図４の鎖線で示す範囲Ｒを拡大したものである。
【００５４】
補助枠２５は、アンカー２６に取り付けられる下方に開放された断面略Ｕ字状である補助枠本体部２５１と、巾木本体部２２１と補助枠本体部２５１の間に配置されるパッキン部材２５２と、を備える。
【００５５】
補助枠本体部２５１は、その下部の開放端のそれぞれに内側に折れ曲がる爪部２５１ａが形成されており、これらの爪部２５１ａがアンカー２６に差し込まれる。
【００５６】
補助枠本体部２５１は、その上面がアンカー２６に固定された状態で設置ラインＬ１及び設置ラインＬ２よりも高い位置となるように高さｈが設定されている。
【００５７】
補助枠本体部２５１の屋外面２５１ｂは、下端から直上に延出し、屋外側の設置ラインＬ１に差し掛かったところで屋内側に傾斜し、再び直上に延出するように形成される。
【００５８】
補助枠本体部２５１の屋外面２５１ｂの上部には、屋外側に延出する差込部２５１ｃが形成される。差込部２５１ｃは、巾木本体部２２１の嵌合部２２１ｃに嵌合する部位となる。本実施形態の差込部２５１ｃは、屋外側に水平方向に延出してからいったん上側に傾斜し、再び水平方向に延出するように形成されている。そして、差込部２５１ｃの上面と巾木本体部２２１の下面との間には、隙間２５１ｄが形成されている。この隙間２５１ｄは、差込部２５１ｃと嵌合部２２１ｃに連通している。
【００５９】
図５に示すように、本実施形態の巾木本体部２２１の嵌合部２２１ｃには、突出部２２１ｈが形成されている。突出部２２１ｈは下方に延出しており、その先端が差込部２５１ｃよりも下方に位置している。なお、突出部２２１ｈを省略する等、嵌合部２２１ｃの形状は事情に応じて適宜変更できる。
【００６０】
補助枠本体部２５１の屋内面２５１ｅは、下端から上端まで直上に延出するように形成される。また、屋内面２５１ｅの上部には、屋内側に延出した後、上方に屈曲する立ち上がり部２５１ｆが形成される。立ち上がり部２５１ｆは、巾木部２２が補助枠２５に取り付けられた状態で、ビス取付部２２１ｂに対面するように形成される。立ち上がり部２５１ｆには、ビス２５３を取り付ける取付孔（図示省略）が形成されている。
【００６１】
また、補助枠本体部２５１は、内側に形成されかつ補助枠本体部２５１の長手方向に延びる溝部２５１ｇが形成される。
【００６２】
パッキン部材２５２は、補助枠２５と巾木部２２の隙間２５１ｄに配置される。パッキン部材２５２は、いわゆる乾式パッキンである。パッキン部材２５２は、その形状が扁平かつ細長に形成されており、その長手方向が見付方向を向いた状態で補助枠２５に固定されている。パッキン部材２５２の詳細な構成については後述する。
【００６３】
図４に示すように、屋外側タイル６１０が設置ラインＬ１に応じて施設されており、屋内側には屋内側タイル６２０が設置ラインＬ２に応じて施設されている。本実施形態では、屋外側の設置ラインＬ１及び屋内側の設置ラインＬ２は、そのいずれもが巾木部２２の下面よりも下に位置する。そして、屋内側の設置ラインＬ２は設置ラインＬ１よりも高くなっている。
【００６４】
ここで、巾木部２２と補助枠２５の関係について説明する。巾木部２２は、補助枠２５に接する下部の見込方向の長さが補助枠２５の見込み方向の長さよりも長く設定されている。即ち、巾木本体部２２１の底部の幅ｗが、補助枠本体部２５１における設置ラインＬ１上の幅及び設置ラインＬ２上の幅よりも大きく、かつ見込方向の両側で補助枠本体部２５１よりも巾木本体部２２１が突出するように設定されている。
【００６５】
サッシユニット１を補助枠２５に固定する作業について説明する。図５に示すように、嵌合部２２１ｃは巾木本体部２２１から若干下に延出した後、屋外側から屋内側に略水平方向に折り返すように延びている。これにより、嵌合部２２１ｃと巾木本体部２２１の間に見込方向の屋内側を向く凹状の隙間が形成され、この隙間に補助枠２５の差込部２５１ｃが差し込まれることで補助枠２５と巾木部２２が屋外側で連結される。
【００６６】
巾木部２２の巾木本体部２２１の下面と嵌合部２２１ｃの上面によって差込部２５１ｃが挟まれる状態となり、この部分では巾木部２２と補助枠２５が互い違いとなるラビリンス構造となっている。このラビリンス構造によって屋内側への更なる水の侵入が効果的に防止されている。また、差込部２５１ｃが嵌合部２２１ｃに見込方向で嵌合することにより、嵌合部２２１ｃと差込部２５１ｃの嵌合部分が、補助枠２５の差込部２５１ｃがサッシユニット１の上下方向に対する傾きを防ぐ、倒れ防止部としても機能している。
【００６７】
補助枠２５と巾木部２２の屋外側の連結について説明する。図４に示すように、嵌合部２２１ｃに差込部２５１ｃが差し込まれた状態では、巾木部２２のビス取付部２２１ｂと立ち上がり部２５１ｆが見込方向で対面した状態となる。この状態で補助枠２５の立ち上がり部２５１ｆから巾木部２２のビス取付部２２１ｂにビス２５３を螺入することで巾木部２２と補助枠２５が屋内側でも連結される。即ち、補助枠２５と巾木部２２の連結に他の板状の連結部材等を別途用意する必要もなく、締結作業を屋内側のみで完了することができる。
【００６８】
補助枠２５に巾木部２２が連結されている状態では、補助枠２５の屋外面２５１ｂが巾木本体部２２１より屋内側に奥まった位置になり、屋内面２５１ｅも巾木本体部２２１より屋外側に奥まった位置となる。図２に示すように、巾木部２２の下部が補助枠２５よりも見込方向の屋外側にせり出すことによって巾木本体部２２１の下方であって補助枠２５の屋外面２５１ｂよりも屋外側のスペースＳ１が形成される。また、巾木部２２の下部が補助枠２５よりも見込方向の屋内側にせり出すことによって巾木本体部２２１の下方であって補助枠２５の屋内面２５１ｅよりも屋内側にスペースＳ２が形成される。
【００６９】
図４に示すように、屋外側のスペースＳ１には、パッカー６３０が取り付けられるとともにシール材６４０が塗工される。シール材６４０は湿式のものである。嵌合部２２１ｃの下面及び突出部２２１ｈの屋内側の面がシール材６４０に接触するようにスペースＳ１にシール材６４０が塗工される。
【００７０】
これにより、サッシユニット１の上端が屋外側に傾くような力を受けた場合でも突出部２２１ｈ及びシール材６４０によってその動きが規制され、上端が屋内側に傾くような力を受けた場合でも嵌合部２２１ｃ及びシール材６４０によってその動きが規制される。即ち、サッシユニット１を上下方向に対して傾けるような力、例えば風圧（負圧や正圧）が作用した場合でも、その力によってサッシユニット１が傾く事態が効果的に防止されている。
【００７１】
また、巾木部２２は、その下面の位置が方立２３の下面と一致しており、略面一となっている。そして、方立２３の排煙ガイド５００の下面についても略同じ位置となっている。従って、巾木部２２、方立２３及び排煙ガイド５００の下方に位置する屋外側のスペースＳ１に屋外側タイル６１０を別途加工することなく配置することができる。このように、スペースＳ１が床材の端部のみこみ代として機能することにより、床材の施工性が向上している。また、屋外側タイル６１０の屋内側の端面はスペースＳ１に位置し、外側から死角になるとともにシール材６４０に覆われた状態となり、切断面又は処理されていない端部が外部から視認できない状態となる。
【００７２】
本実施形態では、屋内側にもスペースＳ２が形成されており、屋内側タイル６２０についてもスペースＳ２を利用して施工される。当該スペースＳ２を利用することで、屋内側タイル６２０の屋外側の端面を外部から見えない死角に位置させることができる。また、屋内側タイル６２０のサイズが大きい場合であったとしてもスペースＳ２をのみこみ代として利用することもできる。
【００７３】
次に、パッキン部材２５２によって形成される止水ラインについて説明する。図６は、見付方向に隣接する補助枠２５の間におけるパッキン部材２５２の様子を模式的に示した横断面図である。なお、図６において紙面上側が屋外側であり下側が屋内側となっており、方立２３については鎖線で示される。
【００７４】
図６に示すように、２つの補助枠２５が見付方向に隙間ｄをあけて隣接しており、方立２３が２つの補助枠２５を跨るように配置される。補助枠２５はアンカー２６に固定されており、上部が設置ラインＬ１，Ｌ２よりも上方にある状態でモルタルに埋設されている。
【００７５】
パッキン部材２５２は、補助枠２５と巾木部２２の間の上下方向の隙間２５１ｄに配置されており（図５参照）、補助枠本体部２５１の上面にその長手方向が見付方向に沿うように固定されている。このパッキン部材２５２によってサッシユニット１における補助枠２５と巾木部２２の間で見付方向に延びる止水ラインが形成される。
【００７６】
本実施形態のパッキン部材２５２は、その長さが補助枠２５見付方向の端部からはみ出すように設定されており、隙間ｄにおいて左側のパッキン部材２５２と右側のパッキン部材２５２が接触している。そして、補助枠２５と補助枠２５の隙間ｄについても止水ラインが形成されるようにパッキン部材２５２の長さが設定される。
【００７７】
パッキン部材２５２のはみ出し長さは補助枠２５と補助枠２５の隙間ｄの長さに応じて設定することができる。例えば、図６の左側のパッキン部材２５２のはみ出し長さと右側のパッキン部材２５２のはみ出し長さの合計が隙間ｄの長さ以上になるように設定される。
【００７８】
本実施形態では、左右のパッキン部材２５２の接触位置２６０が隙間ｄに位置するように設定される。そして、左右両側のパッキン部材２５２は、弾性変形可能に構成されており、それぞれの先端を下側又は上側に折り曲げて面接触させている。これにより、接触位置２６０においても良好な防水性能が発揮される。なお、左右両側のパッキン部材２５２の当接状態は先端面が対向するように接触させてもよく、接触位置２６０も事情に応じて適宜変更できる。
【００７９】
また、図５に示すように、パッキン部材２５２は、その屋外側の端面が、補助枠２５の屋外面２５１ｂの上部を延長した仮想直線Ｌ３よりも外側に位置するようになっている。これにより、補助枠２５を迂回して隙間ｄから屋内側に進入する水についてもその侵入を効果的に防止できる。
【００８０】
パッキン部材２５２によって巾木部２２と補助枠２５の間で見付方向に隙間なく止水ラインが形成されることによって屋外側からの水の侵入が確実に防止されている。パッキン部材２５２は乾式であり、シール塗工の必要もなく、サッシユニット１を取り付ける構造を複雑化することなく防水性能の向上を実現している。
【００８１】
本実施形態では、巾木部２２と補助枠２５の屋外側の隙間となる嵌合部２２１ｃと差込部２５１ｃは、シール材６４０が塗工されるスペースＳ１の上方に位置し外部から閉鎖されていることに加えてラビリンス構造になっている。そして、ラビリンス構造の屋内側の先にはパッキン部材２５２によって止水ラインが形成されている。このように、本実施形態のサッシユニット１では、湿式のシール材６４０、嵌合部２２１ｃ及び差込部２５１ｃのラビリング構造、乾式のパッキン部材２５２により、それぞれ特性の異なる防水機能が複合的に備えられており、高い防水機能が実現されている。
【００８２】
次に、サッシユニット１のリユースについて説明する。上述の通り、巾木部２２と補助枠２５は、屋外側が嵌合部２２１ｃにより嵌合されるともに屋内側がビス２５３によって連結される構造である。従って、サッシユニット１を補助枠２５から取り外す際も、屋内側のビス２５３取り外して嵌合部２２１ｃの嵌合を解除するだけで巾木部２２と補助枠２５の連結を容易に解除することができる。補助枠２５から取り外した巾木部２２を含む枠体２は、別の場所で使用することができ、リユース性の高いサッシユニット１となっている。特に本実施形態では、補助枠２５と巾木部２２の隙間における屋内側の止水構造が乾式のパッキン部材２５２によって実現されているので、シール材が補助枠２５と巾木部２２の隙間に塗工されておりシール材を除去しなければならない場合に比べ、補助枠２５から巾木部２２を取り外す際作業が容易となっている。
【００８３】
更に、補助枠２５をリユースすることもできる。上述のように補助枠２５にはパッキン部材２５２が固定されており、補助枠２５を設置面から取り外して別の場所で使用する場合にもパッキン部材２５２による上述の防水性能を発揮できる。例えば、補助枠２５が残った状態で枠体２の部分が破損した場合や新たな枠体を配置する必要がある場合でも補助枠２５に枠体２の巾木部２２を簡単に固定でき、補助枠２５のリユースという観点でも本実施形態の構成は有利である。特に本実施形態では、乾式のパッキン部材２５２なので、湿式のシール材を塗工する作業を行うことなく防止性能を有するサッシユニットを新たに取り付ける作業も迅速かつ容易に行うことができる。
【００８４】
以上説明してきたように、本実施形態によれば、以下の効果が奏される。
即ち、本実施形態のサッシユニット１の補助枠２５は、設置面に固定される補助枠本体部２５１と、補助枠本体部２５１の屋外側の上部に配置され、見込方向の屋外側を向く凸状に形成される差込部２５１ｃと、補助枠本体部２５１の屋内側の上部に配置される立ち上がり部２５１ｆと、を有し、巾木部２２は、補助枠２５の上面に載置される巾木本体部２２１と、巾木本体部２２１の屋外側の下部に配置され、差込部２５１ｃに嵌合する凹状の嵌合部２２１ｃと、巾木本体部２２１の屋内側の下部に配置され、立ち上がり部２５１ｆとともにビス２５３によって締結されるビス取付部２２１ｂと、を有する。
【００８５】
これにより、サッシユニット１の屋外側を嵌合部２２１ｃと差込部２５１ｃで連結することができ、屋内側でのみビス２５３を締結することにより、補助枠２５に対して巾木部２２を固定することができる。従って、補助枠２５から巾木部２２を取り外す作業も屋内側のビス２５３を取り外せば嵌合部２２１ｃと差込部２５１ｃの嵌合を解除するだけでよくなり、リユース時の作業性を向上させることができる。
【００８６】
また、嵌合部２２１ｃと差込部２５１ｃが嵌合する嵌合部分では巾木部２２と補助枠２５が互い違いとなるラビリンス構造となるので、屋外から屋内への水の侵入を防ぐことができ、防水性能も向上させることができる。
【００８７】
また、サッシユニット１が上下方向に対して傾く力を受けた場合であっても、見込方向で嵌合部２２１ｃに嵌合する差込部２５１ｃによって巾木部２２が傾く動きが規制され、嵌合部分が倒れ防止となる。
【００８８】
本実施形態のサッシユニット１は、補助枠２５と巾木部２２の間の隙間２５１ｄであって差込部２５１ｃと嵌合部２２１ｃの嵌合部分に屋内側で連通する位置に固定され、該隙間２５１ｄの中で見付方向に沿って延びるパッキン部材２５２を更に備える。
【００８９】
これにより、嵌合部２２１ｃと差込部２５１ｃが嵌合する嵌合部分を越えて補助枠２５と巾木部２２の隙間２５１ｄに屋外から水が進入してきたとしても、該嵌合部分よりも屋内側に設けられるパッキン部材２５２によってそれ以上の屋内側への水の侵入を確実に防止できる。
【００９０】
補助枠２５は、見付方向で隙間ｄをあけて複数並列配置されており、隣接する一側の補助枠２５に固定される一方のパッキン部材２５２の先端部が、他側の補助枠２５に固定される他方のパッキン部材２５２の先端部に接触するように、パッキン部材２５２が補助枠２５の見付方向の端部から突出する長さに形成される。
【００９１】
これにより、補助枠２５が隙間ｄをあけて複数配置されている場合であっても、パッキン部材２５２によって見付方向に途切れることなく止水ラインを形成することができ、補助枠２５の隙間ｄからの水の進入を効果的に防止できる。
【００９２】
以上、本発明のサッシユニットの好ましい一実施形態について説明したが、本発明は、上述の実施形態に制限されるものではなく、適宜変更が可能である。
【００９３】
上記実施形態では、見込方向において巾木部２２の両側が補助枠２５よりもせり出すように構成されているが、屋外側又は屋内側の一側のみが補助枠２５からせり出す構成とすることもできる。また、シール材は屋外側タイル６１０の上面に跨って塗工されているが、目地の部分にシール材を塗工することもできる。
【００９４】
上記実施形態で説明した方立２３の構成は適宜変更することができる。例えば、方立２３を、屋内側から見て、図３とは左右対称の構造にしてもよい。つまり、第１方立部材２３１と第２方立部材２３２は左右逆に配置してもよい。
【００９５】
上記実施形態では、方立２３を含む枠体にガラス６１ａ，６２ａが納められるものとしたがこれに限定されず、例えば引違い戸やすべり出し窓等の障子を開口部に納める構成としてもよい。
【００９６】
上記実施形態では、排煙窓５１を備えるサッシユニット１を枠ユニットの例として説明したが、排煙窓５１を備えない構成にも本発明を適用することができる。
【００９７】
上記実施形態では、隣接する補助枠２５のパッキン部材２５２の両方が補助枠２５の端部からはみ出すように構成されているが、一方のパッキン部材２５２のみが補助枠２５の端部からはみ出して他方の補助枠２５のパッキン部材２５２に接触するように構成することもできる。
【００９８】
上記実施形態では、巾木部２２の見込方向の幅ｗが補助枠２５の幅よりも大きく形成されているが、横枠としての巾木部と補助枠の幅が略同一となる構成に変更することもできる。
【符号の説明】
【００９９】
１  サッシユニット（枠ユニット）
２２  巾木部（横枠）
２２１  巾木本体部（横枠本体部）
２２１ｂ  ビス取付部（横枠側締結部）
２２１ｃ  嵌合部（横枠嵌合部）
２５  補助枠（設置枠）
２５１  補助枠本体部（設置枠本体部）
２５１ｃ  差込部（設置枠嵌合部）
２５１  隙間
２５１ｆ  立ち上がり部（設置枠側締結部）
２５２  パッキン部材（防水部材）
２５３  ビス（締結部材）
ｄ  隙間
【図１】
0006504983.tif 000002
【図２】
0006504983.tif 000003
【図３】
0006504983.tif 000004
【図４】
0006504983.tif 000005
【図５】
0006504983.tif 000006
【図６】
0006504983.tif 000007